(57)【特許請求の範囲】
【請求項１】
長手をなす刃部であって、長手方向に先端と該先端とは反対側の基端とを有する刃部と、該刃部の基端に取り付けられる操作部とを有する一対の鋏本体と、該一対の鋏本体のそれぞれの操作部を互いに離間させる方向に付勢する付勢部材と、一対の鋏本体のそれぞれを第一方向でスライド可能に内装するケースであって、第一方向に第一端と該第一端とは反対側の第二端とを有するケースとを備え、一対の鋏本体のそれぞれは、刃部と操作部との間の部分同士が枢結されるとともに、各鋏本体の刃部全体がケースから進出する第一の限界位置と、各鋏本体の刃部全体がケース内に退避する第二の限界位置との間でスライド可能に構成され、ケースは、該ケースの第一端側に形成されるとともに第一方向で貫通する挿通口であって、一対の鋏本体のそれぞれの刃部を挿通可能な挿通口と、一方の鋏本体の操作部をケース内で第一方向に案内する案内部と、第一方向で長手をなし且つ第一方向と直交する第二方向で貫通する長穴部と、ケースの第一端側で該長穴部と連続する導出部であって、第二方向で貫通する導出部とを有し、長穴部は、他方の鋏本体の操作部を部分的にケースから露出させつつ第一方向に案内し、導出部は、第一の限界位置に配置された他方の鋏本体の操作部を一方の鋏本体の操作部に対して接離可能にし、一方の鋏本体の操作部には、凸部又は凹部の何れか一方が形成され、ケースは、第一の限界位置に位置する一方の鋏本体の第一方向での移動を規制可能な第一のロック部であって、該ケース内部に形成される凸部又は凹部の何れか他方によって構成される第一のロック部を有し、第一の限界位置に位置する一方の鋏本体の操作部の凸部又は凹部の何れか一方と、前記第一のロック部を構成する凸部又は凹部の何れか他方とは、互いに嵌合可能に構成される、ことを特徴とする刃部収納式鋏。
【請求項２】
ケースは、第二の限界位置に位置する一方の鋏本体の第一方向での移動を規制可能な第二のロック部を有する請求項１に記載の刃部収納式鋏。
【発明の詳細な説明】
【技術分野】
【０００１】
本発明は、刃部を有する鋏本体をスライドさせることで、ケースに対して刃部を出退可能とした刃部収納式鋏に関する。
【背景技術】
【０００２】
従来から、長手をなす刃部であって、長手方向に先端と該先端とは反対側の基端とを有する刃部及び該刃部の基端に取り付けられる操作部とを有する一対の鋏本体と、該一対の操作部のそれぞれを互いに離間させる方向に付勢する付勢部材と、該一対の鋏本体のそれぞれを第一方向でスライド可能に退避するケースであって、第一方向に第一端と該第一端とは反対側の第二端とを有するケースとを備える刃部収納式鋏が提供されている。そして、この種の刃部収納式鋏は、ケース内で一対の鋏本体のそれぞれをスライドさせるためのスライド用操作部を備えている（例えば、特許文献１参照）。
【０００３】
一対の鋏本体のそれぞれは、各鋏本体における刃部と操作部との間の部分同士が枢結される。ケースは、該ケースの第一端側に形成される挿通口であって、前記一対の刃部のそれぞれを挿通させる挿通口と、内外に亘って貫通するとともに第一方向で長手をなす案内部とを有する。そして、スライド用操作部は、ケースの外側に配置されるとともに、案内部を介して一対の鋏本体のそれぞれに取り付けられている。
【０００４】
そのため、この種の刃部収納式鋏は、スライド用操作部を案内部に沿って移動させることで、一対の鋏本体のそれぞれを第一方向でスライドさせることができる。これにより、この種の刃部収納式鋏は、一対の鋏本体のそれぞれの刃部をケースに対して出退させることができる。
【０００５】
ところで、この種の刃部収納式鋏を用いて切断作業をする場合、作業者は、各鋏本体の操作部のそれぞれを指先で摘むようにして保持しながら（例えば、親指と人差し指とで各鋏本体の操作部のそれぞれを把持しながら）、各鋏本体の操作部のそれぞれを互いに接離させることになる。
【０００６】
そのため、この種の刃部収納式鋏は、各鋏本体の操作部を指先で保持することが難しく、切断作業に適した姿勢を維持させることが困難であった。特に、刃部収納式鋏は、サイズが小さくなるにつれて、このような問題がより顕著になる。
【先行技術文献】
【特許文献】
【０００７】
【特許文献１】特開平８−１８２８７０号公報
【発明の概要】
【発明が解決しようとする課題】
【０００８】
そこで、本発明は、かかる実情に鑑み、操作性を向上させることのできる刃部収納式鋏を提供することを課題とする。
【課題を解決するための手段】
【０００９】
本発明に係る刃部収納式鋏は、長手をなす刃部であって、長手方向に先端と該先端とは反対側の基端とを有する刃部と、該刃部の基端に取り付けられる操作部とを有する一対の鋏本体と、該一対の鋏本体のそれぞれの操作部を互いに離間させる方向に付勢する付勢部材と、一対の鋏本体のそれぞれを第一方向でスライド可能に内装するケースであって、第一方向に第一端と該第一端とは反対側の第二端とを有するケースとを備え、一対の鋏本体のそれぞれは、刃部と操作部との間の部分同士が枢結されるとともに、各鋏本体の刃部全体がケースから進出する第一の限界位置と、各鋏本体の刃部全体がケース内に退避する第二の限界位置との間でスライド可能に構成され、ケースは、該ケースの第一端側に形成されるとともに第一方向で貫通する挿通口であって、一対の鋏本体のそれぞれの刃部を挿通可能な挿通口と、一方の鋏本体の操作部をケース内で第一方向に案内する案内部と、第一方向で長手をなし且つ第一方向と直交する第二方向で貫通する長穴部と、ケースの第一端側で該長穴部と連続する導出部であって、第二方向で貫通する導出部とを有し、長穴部は、他方の鋏本体の操作部を部分的にケースから露出させつつ第一方向に案内し、導出部は、第一の限界位置に配置された  他方の鋏本体の操作部を一方の鋏本体の操作部に対して接離可能にし、一方の鋏本体の操作部には、凸部又は凹部の何れか一方が形成され、ケースは、第一の限界位置に位置する一方の鋏本体の第一方向での移動を規制可能な第一のロック部であって、該ケース内部に形成される凸部又は凹部の何れか他方によって構成される第一のロック部を有し、第一の限界位置に位置する一方の鋏本体の操作部の凸部又は凹部の何れか一方と、前記第一のロック部を構成する凸部又は凹部の何れか他方とは、互いに嵌合可能に構成される、ことを特徴とする。
【００１０】
上記構成の刃部収納式鋏によれば、ケースは、一対の鋏本体のそれぞれを第一方向でスライド可能に内装することができる。すなわち、ケースは、第一方向で長手をなすように形成されている。
【００１１】
そのため、刃部収納式鋏は、使用者がケースを握るようにして保持しつつ、親指で他方の鋏本体の操作部を操作することで、一対の鋏本体のそれぞれの刃部をケースに対して出退させたり、一対の鋏本体のそれぞれの刃部を互いに接離させたりすることができる。従って、刃部収納式鋏は、容易にケースの姿勢を安定させつつ操作部を操作することができる。
【００１２】
より具体的に説明する。刃部収納式鋏は、ケースを握るようにして保持しつつ、他方の鋏本体の操作部におけるケースから露出した部分を親指でケースの第一端側にスライドさせると、一方の鋏本体の操作部が案内部によってケースの第二端側からケースの第一端側に案内される。
【００１３】
そして、一対の鋏本体のそれぞれが第一の限界位置に配置されると、各鋏本体の刃部全体がケースから進出する。このとき、他方の鋏本体の操作部が導出部と対応する位置に配置されるため、該他方の鋏本体の操作部が導出部を通じて一方の鋏本体に対して接離可能になる。そして、刃部収納式鋏は、ケースを握るようにして保持したまま、親指で他方の鋏本体の操作部を一方の鋏本体の操作部に向かって押し込むことで、一対の鋏本体のそれぞれの刃部を互いに接近させることができ、他方の鋏本体の操作部に対する押しを解除することで、一対の鋏本体のそれぞれの刃部を互いに離間させることができる。
【００１４】
さらに、他方の鋏本体の操作部を一方の鋏本体の操作部に向けて押し込んだ状態で該操作部をケースの第二端側にスライドさせることで、一対の鋏本体のそれぞれを第二の限界位置に配置することができる。これにより、各鋏本体の刃部全体がケース内に退避する。
また、上記構成の刃部収納式鋏は、第一の限界位置において、一対の鋏本体のそれぞれが不用意に移動してしまうことを防止することができる。そのため、上記構成の刃部収納式鋏は、各鋏本体の刃部をケースから進出させている状態において、一対の鋏本体のそれぞれが第一方向で不用意に移動してしまうことを防止することができる。
【００１５】
また、本発明に係る刃部収納式鋏の他態様として、ケースは、第二の限界位置に位置する一方の鋏本体の第一方向での移動を規制可能な第二のロック部を有するようにしてもよい。
【００１６】
このようにすれば、上記構成の刃部収納式鋏は、第二の限界位置においても、一対の鋏本体のそれぞれが不用意に移動してしまうことを防止することができる。すなわち、上記構成の刃部収納式鋏は、各鋏本体の刃部をケース内に退避させている状態においても一対の鋏本体のそれぞれが第一方向で不用意に移動してしまうことを防止することができる。
【発明の効果】
【００１７】
以上のように、本発明の刃部収納式鋏によれば、操作性を向上させることができるという優れた効果を奏し得る。
【図面の簡単な説明】
【００１８】
【図１】図１は、本発明の一実施形態に係る刃部収納式鋏の斜視図である。
【図２】図２は、同実施形態に係る刃部収納式鋏における一対の鋏本体のそれぞれの正面図である。
【図３】図３は、同実施形態に係る刃部収納式鋏における一対の鋏本体のそれぞれの背面図である。
【図４】図４は、同実施形態に係る刃部収納式鋏における一対の鋏本体のそれぞれの平面図であって、図４Ａは、一方の鋏本体の平面図であり、図４Ｂは、他方の鋏本体の平面図である。
【図５】図５は、同実施形態に係る刃部収納式鋏におけるケースの平面図である。
【図６】図６は、同実施形態に係る刃部収納式鋏におけるケースの断面図であって、図５のＡ−Ａ線における断面図である。
【図７】図７は、同実施形態に係る刃部収納式鋏におけるケースの断面図であって、図５のＢ−Ｂ線における断面図である。
【図８】図８は、同実施形態に係る刃部収納式鋏の平面図であって、一対の鋏本体のそれぞれが第二の限界位置に配置されている状態の平面図である。
【図９】図９は、同実施形態に係る刃部収納式鋏の平面図であって、一対の鋏本体のそれぞれが第一の限界位置に配置されている状態の平面図である。
【図１０】図１０は、同実施形態に係る刃部収納式鋏の部分断面正面図であって、図１０Ａは、一対の鋏本体のそれぞれが第二の限界位置に配置されている状態の部分断面正面図であり、図１０Ｂは、一対の鋏本体のそれぞれが第一の限界位置に配置されている状態の部分断面正面図であり、図１０Ｃは、一対の鋏本体のそれぞれが第一の限界位置に配置され且つ他方の操作部が一方の操作部から離間する方向に移動した状態の部分断面正面図である。
【図１１】図１１は、同実施形態に係る刃部収納式鋏の部分断面背面図であって、図１１Ａは、一対の鋏本体のそれぞれが第二の限界位置に配置されている状態の部分断面背面図であり、図１１Ｂは、一対の鋏本体のそれぞれが第一の限界位置に配置されている状態の部分断面背面図であり、図１１Ｃは、一対の鋏本体のそれぞれが第一の限界位置に配置され且つ他方の操作部が一方の操作部から離間する方向に移動した状態の部分断面背面図である。
【発明を実施するための形態】
【００１９】
以下、本発明の一実施形態に係る刃部収納式鋏について、添付図面を参照しつつ説明を行う。
【００２０】
本実施形態に係る刃部収納式鋏は、刃部を有する一対の鋏本体のそれぞれをスライドさせることで、ケースに対して刃部を出退可能としたものである。なお、本実施形態では、一方の鋏本体及び一方の鋏本体が有する構成には、「Ａ」を付し、他方の鋏本体及び他方の鋏本体が有する構成には、「Ｂ」を付して以下の説明を行うこととする。
【００２１】
より具体的に説明する。刃部収納式鋏１は、図１に示すように、長手をなす刃部２０Ａ，２０Ｂであって、長手方向に先端と該先端とは反対側の基端とを有する刃部２０Ａ，２０Ｂと、図２に示すように、該刃部２０Ａ，２０Ｂの基端に取り付けられる操作部２１Ａ，２１Ｂとを有する一対の鋏本体２Ａ，２Ｂと、該一対の鋏本体２Ａ，２Ｂのそれぞれの操作部２１Ａ，２１Ｂを互いに離間させる方向に付勢する付勢部材３と、一対の鋏本体２Ａ，２Ｂのそれぞれを第一方向でスライド可能に内装するケース４であって、第一方向に第一端と該第一端とは反対側の第二端とを有するケース４とを備える（図５参照）。
【００２２】
図２及び図３に示すように、一対の鋏本体２Ａ，２Ｂのそれぞれは、刃部２０Ａ，２０Ｂと操作部２１Ａ，２１Ｂとの間の部分が互いに枢結される。すなわち、刃部収納式鋏１は、一方の鋏本体２Ａにおける刃部２０Ａと操作部２１Ａの間の部分と、他方の鋏本体２Ｂにおける刃部２０Ｂと操作部２１Ｂの間の部分とが互いに枢結されている。そのため、一対の鋏本体２Ａ，２Ｂのそれぞれは、刃部２０Ａ，２０Ｂと操作部２１Ａ，２１Ｂとの間の部分（互いに枢結されている部分）を中心として回動するようになっている。
【００２３】
一方の鋏本体２Ａは、付勢部材３を取り付けるためのバネ受部２２Ａを有する。そして、図４Ａに示すように、操作部２１Ａは、刃部２０Ａの基端に取り付けられる本体部２１０Ａと、第一方向と直交する方向（以下、第二方向とする）における一方側に形成される凹部２１１Ａと、第一方向における該凹部２１１Ａの両側に形成される一対の凸部２１２Ａとを有する。さらに、操作部２１Ａは、第二方向における本体部２１０Ａの他方側に形成される被案内部２１３Ａを有する。
【００２４】
操作部２１Ａは、凹部２１１Ａの表面と、各凸部２１２Ａの表面とが互いに連続している。そのため、操作部２１Ａは、凹部２１１Ａと各凸部２１２Ａとが一つの凹みを形成している。
【００２５】
被案内部２１３Ａは、第二方向で延出するとともに、第一方向で長手をなしている。
【００２６】
他方の鋏本体２Ｂは、付勢部材３を取り付けるためのバネ受部２２Ｂを有する（図２及び図３参照）。そして、図４Ｂに示すように、操作部２１Ｂは、刃部２０Ｂの基端に取り付けられる本体部２１０Ｂと、第二方向における一方側に形成される当接部２１１Ｂと、該当接部２１１Ｂから第一方向及び第二方向のそれぞれに直交する方向（以下、第三方向とする）に突出する突出部２１２Ｂとを有する（図３参照）。
【００２７】
図２及び図３に戻り、本実施形態に係る付勢部材３は、圧縮コイルバネで構成される。また、付勢部材３は、伸縮方向に第一端と該第一端とは反対側の第二端とを有する。そして、付勢部材３の一端側は、一方の鋏本体２Ａのバネ受部２３Ａに取り付けられ、付勢部材３の他端側は、他方の鋏本体２Ｂのバネ受部２３Ｂに取り付けられる。
【００２８】
そのため、一方の鋏本体２Ａの操作部２１Ａと、他方の鋏本体２Ｂの操作部２１Ｂとは、常時において、付勢部材３からの外力（一方の鋏本体２Ａの操作部２１Ａと、他方の鋏本体２Ｂの操作部２１Ｂとが互いに離間する方向に作用する外力）を受けている。
【００２９】
ケース４は、上述のように、一対の鋏本体２Ａ，２Ｂのそれぞれを第一方向でスライド可能に内装する（図８及び図９参照）。すなわち、図５に示すように、ケース４は、内部に一対の鋏本体２Ａ，２Ｂのそれぞれを収容可能な空間（以下、収容空間Ｄとする）を有する。
【００３０】
そして、ケース４は、該ケース４の第一端側に形成されるとともに第一方向で貫通する挿通口４０であって、一対の鋏本体２Ａ，２Ｂのそれぞれの刃部２０Ａ，２０Ｂを挿通可能な挿通口４０と、一方の鋏本体２Ａの操作部２１Ａをケース４内で第一方向に案内する案内部４１と（図７参照）、第一方向で長手をなし且つ第一方向と直交する第二方向で貫通する長穴部４２と、該長穴部４２とケース４の第一端側で連続する導出部４３であって、第二方向で貫通する導出部４３とを有する。
【００３１】
また、図６に示すように、ケース４は、第一の限界位置に位置する一対の鋏本体２Ａ，２Ｂのそれぞれの第一方向での移動を規制可能な第一のロック部４４と、第二の限界位置に位置する一対の鋏本体のそれぞれの第一方向での移動を規制可能な第二のロック部４５とを有する。
【００３２】
挿通口４０は、第一方向で一対の鋏本体２Ａ，２Ｂのそれぞれと並ぶ位置に形成されている。
【００３３】
案内部４１は、図７に示すように、ケース４の内部に形成されており、第一方向で長手をなす溝状に形成されている。また、案内部４１は、操作部２１Ａの被案内部２１３Ａと対応する部分に形成されている。そのため、刃部収納式鋏１は、操作部２１Ａの被案内部２１３Ａがケース４の案内部４１に嵌合している。これにより、刃部収納式鋏１は、操作部２１Ａが案内部４１によって、第一方向に案内されるようになっている。従って、一対の鋏本体２Ａ，２Ｂのそれぞれは、各鋏本体２Ａ，２Ｂの刃部２０Ａ，２０Ｂ全体がケース４から進出する第一の限界位置と、各鋏本体２Ａ，２Ｂの刃部２０Ａ，２０Ｂ全体がケース４内に退避する第二の限界位置との間でスライド可能に構成される。
【００３４】
長穴部４２は、操作部２１Ｂ（本体部２１０Ｂ）を部分的にケース４から露出させる（図１０Ａ、及び図１１Ａ参照）。より具体的に説明する。長穴部４２は、図６に示すように、収容空間Ｄと連続する。そして、第二方向における長穴部４２の寸法は、第二方向における他方の操作部２１Ｂの本体部２１０Ｂの寸法と同一又は略同一に設定される（図８参照）。
【００３５】
そのため、刃部収納式鋏１は、一対の鋏本体２Ａ，２Ｂのそれぞれがケース４の第二端側に配置されると、操作部２１Ｂの当接部２１１Ｂがケース４における長穴部４２を画定する部分（以下、被覆部４２０とする）の下方に配置される。これにより、刃部収納式鋏１は、操作部２１Ｂの第二方向での移動（操作部２１Ａから離間する方向への移動）が規制される。
【００３６】
より具体的に説明する。刃部収納式鋏１において、他方の操作部２１Ｂは、常時、付勢部材３から付勢力（一方の操作部２１Ａから離間する方向に作用する付勢力）を受けている。しかしながら、刃部収納式鋏１は、当接部２１１Ｂが被覆部４２０と対応する位置に配置されていると、該当接部２１１Ｂが被覆部４２０に当接する。これにより、操作部２１Ｂは、操作部２１Ａから離間する方向への移動が規制される。
【００３７】
そして、被覆部４２０は、ケース４の内側に位置する部分に形成される凹状の被嵌合部４２０ａを有する。被嵌合部４２０ａは、第二の限界位置に配置されている他方の鋏本体２Ｂの突出部２１２Ｂと対応する部分に形成されている。そのため、刃部収納式鋏１は、他方の鋏本体２Ｂが第二の限界位置に配置されると、突出部２１２Ｂが被覆部４２０の被嵌合部４２０ａに嵌合する。
【００３８】
導出部４３は、ケース４の第一端側で長穴部４２と連続するように形成される長穴部４２と連続するように形成される。また、導出部４３の第二方向における寸法は、操作部２１Ｂの第二方向における寸法（本体部２１０Ｂ及び当接部２１１Ｂの寸法）と同一又は略同一に設定される（図９参照）。そのため、操作部２１Ｂは、当接部２１１Ｂが導出部４３と対応する場所に配置されると、操作部２１Ａから離間する方向での移動に対する規制が解除される。これにより、他方の操作部２１Ｂは、導出部４３を通じて操作部２１Ａに対して接離可能になる。
【００３９】
図５に戻り、第一のロック部４４は、凸状に形成されている。また、第一のロック部４４は、ケース４の内部に形成されている。より具体的に説明すると、第一のロック部４４は、ケース４の内部における、第一の限界位置に配置されている一方の鋏本体２Ａの凹部２１１Ａと対応する部分に形成されている。
【００４０】
第二のロック部４５は、凸状に形成されている。また、第二のロック部４５は、ケース４の内部に形成されている。より具体的に説明すると、第二のロック部４５は、ケース４の内部における、ケース４の第二の限界位置に配置されている一方の鋏本体２Ａの凹部２１１Ａと対応する部分に形成されている。
【００４１】
本実施形態に係る刃部収納式鋏１は、以上の通りである。続いて、本実施形態に係る刃部収納式鋏１の動作について、添付図面を参照しつつ説明を行う。
【００４２】
刃部収納式鋏１は、使用者がケース４を握るようにして保持しつつ、親指で他方の鋏本体２Ｂの操作部２１Ｂを操作することで、図８及び図９に示すように、一対の鋏本体２Ａ，２Ｂのそれぞれの刃部２０Ａ，２０Ｂをケース４に対して出退させたり、一対の鋏本体２Ａ，２Ｂのそれぞれの刃部２０Ａ，２０Ｂを互いに接離させたりすることができる。
【００４３】
より具体的に説明する。刃部収納式鋏１は、ケース４を握るようにして保持しつつ、操作部２１Ｂのケース４から露出している部分を親指でケース４の第一端側にスライドさせると、図１１Ａに示すように、一方の鋏本体２Ａの操作部２１Ａが案内部４１によって第一方向で案内され、図１０Ａに示すように、他方の鋏本体２Ｂの操作部２１Ｂが長穴部４２（被覆部４２０）によって第一方向で案内される。これにより、一対の鋏本体２Ａ，２Ｂのそれぞれがケース４の第二端側からケース４の第一端側にスライドする。
【００４４】
そして、図１０Ｂ、図１１Ｂに示すように、一対の鋏本体２Ａ，２Ｂのそれぞれが第一の限界位置に配置されると、各鋏本体２Ａ，２Ｂの刃部２０Ａ，２０Ｂ全体がケース４から進出する。このとき、一方の鋏本体２Ａの凹部２１１Ａが第一のロック部４４に嵌合し、一対の鋏本体２Ａ，２Ｂのそれぞれの第一方向での移動が規制される（図１０Ｂ参照）。
【００４５】
また、他方の鋏本体２Ｂの操作部２１Ｂは、導出部４３と対応する位置に配置されると、操作部２１Ａに対して接離可能になる。そのため、操作部２１Ｂに対する操作（操作部２１Ｂに対する押し）を解除すると、図１０Ｃ及び図１１Ｃに示すように、該操作部２１Ｂが付勢部材３の付勢力によって操作部２１Ａから離間する方向に移動する。
【００４６】
そして、ケース４を握るようにして保持したまま、親指で他方の鋏本体２Ｂの操作部２１Ｂを一方の鋏本体２Ａの操作部２１Ａに向けて押すと、一対の鋏本体２Ａ，２Ｂのそれぞれの刃部２０Ａ，２０Ｂが互いに接近する。そして、他方の鋏本体２Ｂの操作部２１Ｂに対する押しを解除すると、一対の鋏本体２Ａ，２Ｂのそれぞれの刃部２０Ａ，２０Ｂが互いに離間する。
【００４７】
さらに、他方の鋏本体２Ｂの操作部２１Ｂを一方の鋏本体２Ａの操作部２１Ａに向けて押しながらケースの第二端側に移動させると、凹部２１１Ａがケース４の第一のロック部４４から外れ、一対の鋏本体２Ａ，２Ｂのそれぞれが第二の限界位置に配置される。これにより、一対の鋏本体２Ａ，２Ｂのそれぞれの刃部２０Ａ，２０Ｂのそれぞれがケース４内に退避する。そして、一方の鋏本体２Ａの凹部２１１Ａが第二のロック部４５に嵌合し、一対の鋏本体２Ａ，２Ｂのそれぞれの第一方向での移動が規制される。
【００４８】
以上のように、刃部収納式鋏１は、使用者がケース４を握るようにして保持しつつ、親指で他方の鋏本体２Ｂの操作部２１Ｂを操作することができる。そのため、刃部収納式鋏１は、刃部２０Ａ，２０Ｂをケース４に対して出退させたり、切断作業をしたりするにあたり、容易にケース４の姿勢を安定させることができる。従って、刃部収納式鋏１は、操作性を向上させることができるという優れた効果を奏し得る。
【００４９】
また、刃部収納式鋏１は、第一の限界位置及び第二の限界位置に配置された一対の鋏本体２Ａ，２Ｂのそれぞれが不用意に移動してしまうことを防止することができる。すなわち、刃部収納式鋏１は、各鋏本体２Ａ，２Ｂの刃部２０Ａ，２０Ｂをケース４から進出させている状態、及び各鋏本体２Ａ，２Ｂの刃部２０Ａ，２０Ｂをケース４内に退避させている状態で一対の鋏本体２Ａ，２Ｂのそれぞれが第一方向で不用意に移動してしまうことを防止することができる。
【００５０】
そして、刃部収納式鋏１は、他方の鋏本体２Ｂの操作部２１Ｂに対する操作のみで（すなわち、一方の鋏本体２Ａの操作部２１Ａを操作することなく）、刃部収納式鋏１は、刃部２０Ａ，２０Ｂをケース４に対して出退させたり、切断作業をしたりすることができる。従って、刃部収納式鋏１は、作業者が持ち方を変更することなく、刃部２０Ａ，２０Ｂをケース４に対して出退させたり、切断作業をしたりすることができる。
【００５１】
尚、本発明に係る刃部収納式鋏１は、上記実施形態に限定されるものではなく、本発明の要旨を逸脱しない範囲において種々変更を行うことは勿論である。
【００５２】
上記実施形態において、被案内部２１３Ａは、本体部２１０Ａの第二方向における他方側に延出していたが、これに限定されるものではなく、例えば、被案内部２１３Ａは、本体部２１０Ａの第二方向における他方側に形成される溝によって構成されていてもよい。ただし、このようにする場合、案内部４１をケース４の内部から突出するように形成する必要がある。
【００５３】
上記実施形態において、付勢部材３は、圧縮コイルバネで構成されていたが、これに限定されるものではなく、例えば、板バネ等で構成されていてもよい。
【００５４】
また、上記実施形態において、特に言及しなかったが、長穴部４２は、導出部４３よりもケースの第一端側にも延びている。すなわち、導出部４３は、第一方向における長穴部４２の途中位置と連続している。これにより、上記実施形態に係る刃部収納式鋏１は、他方の操作部２１Ｂが一方の操作部２１Ａから離れたときに、他方の刃部２０Ｂがケース４に干渉することを防止することができる。
【００５５】
また、上記実施形態において、特に言及しなかったが、第一のロック部４４、及び第二のロック部４５は、一方の操作部２１Ａの凹部２１１Ａ及び各凸部２１２Ａによって形成される凹みよりも大きく形成されていてもよい。このようにすれば、第一のロック部４４、及び第二のロック部４５は、より確実に、一対の鋏本体２Ａ．２Ｂのそれぞれの第一方向におけるスライドを規制することができる。
【００５６】
また、上記実施形態において、第一のロック部４４、及び第二のロック部４５は、ケース４の内部に突出するように形成されていたが、これに限定されるものではなく、第一のロック部４４、及び第二のロック部４５は、例えば、ケース４の内部に形成した凹みによって構成されていてもよい。ただし、このようにする場合、一方の操作部２１Ａには、
凹部２１１Ａ及び凸部２１２Ａに変えて、ケース４の内部に形成した凹みに嵌合可能な突起を形成する必要がある。
【符号の説明】
【００５７】
１…刃部収納式鋏、２Ａ，２Ｂ…鋏本体、３…付勢部材、４…ケース、２０Ａ，２０Ｂ…刃部、２１Ａ，２１Ｂ…操作部、２２Ａ，２２Ｂ…バネ受部、４０…挿通口、４１…案内部、４２…長穴部、４３…導出部、４４…第一のロック部、４５…第二のロック部、２１０Ａ，２１０Ｂ…本体部、２１１Ａ…凹部、２１１Ｂ…当接部、２１２Ａ…凸部、２１２Ｂ…突出部、２１３Ａ…被案内部、４２０…被覆部、４２０ａ…被嵌合部、Ｄ…収容空間
【要約】
【課題】  操作性を向上させることのできる刃部収納式鋏を提供することを課題とする。
【解決手段】  長手をなす刃部及び該刃部のそれぞれに取り付けられる操作部を有する一対の鋏本体と、該一対の鋏本体のそれぞれを第一方向でスライド可能に内装するケースとを備えるようにし、ケースが、一方の鋏本体の操作部をケース内で第一方向に案内する案内部と、一対の鋏本体のそれぞれの刃部全体がケースから進出した状態で、他方の鋏本体の操作部を一方の鋏本体の操作部に対して接離可能にする導出部とを備えるようにする。
【選択図】図１【図１】
0005647324.tif 000002
【図２】
0005647324.tif 000003
【図３】
0005647324.tif 000004
【図４】
0005647324.tif 000005
【図５】
0005647324.tif 000006
【図６】
0005647324.tif 000007
【図７】
0005647324.tif 000008
【図８】
0005647324.tif 000009
【図９】
0005647324.tif 000010
【図１０】
0005647324.tif 000011
【図１１】
0005647324.tif 000012